(57)【要約】【課題】  紛失や破損のおそれがなく、遊技媒体用受皿内に貯留されたメダルをより取り出しやすくすること。【解決手投】  メダル受皿１９の貯留部の開口は、辺ｓ１〜辺ｓ４からなる略台形の形状を有し、底面１９ｅは、辺ｓ１の側から辺ｓ２の方向へ向かって下方に低くなるような傾斜が設けられている。また、側壁面１９ｃは、辺ｓ３から側壁面ｓ４の方向へ向かって傾斜している。これらの傾斜により、貯留部内のメダルを側壁面１９ｂおよび側壁面１９ｄ側へ寄せやすくなっている。【選択図】  図２
2007068722.tif 000002
【特許請求の範囲】
【請求項１】
円板状遊技媒体を貯留する貯留部を有する遊技媒体用受皿であって、
前記貯留部は、
第一の辺と、該第一の辺と平行かつ該第一の辺よりも長い第二の辺と、該第一および第二の辺の一方端を結ぶ第三の辺と、該第一および第二の辺の他方端を結ぶ第四の辺とからなる台形を成す開口面と、
前記開口面と対向し、前記第一の辺から前記第二の辺への方向に向かって低くなるように傾斜した底面と、
前記開口面の各辺から前記底面に亘って形成された側面と
からなり、
前記側面は、
前記開口面の第一の辺から底面に亘って形成された第一の側面と、
前記開口面の第二の辺から底面に亘って形成された第二の側面と、
前記開口面の第三の辺から底面に亘って形成された第三の側面と、
前記開口面の第四の辺から底面に亘って形成された第四の側面と
によって構成され、前記第三の側面が、前記第四の側面の方向に向かって傾斜している
ことを特徴とする遊技媒体用受皿。
【請求項２】
前記第四の側面は、少なくとも前記底面の近傍から前記底面にかけて曲面を有することを特徴とする請求項１に記載の遊技媒体用受皿。
【請求項３】
円板状遊技媒体を投入することで遊技が可能となり、該遊技の結果が所定の条件を満たしたときに、前記遊技媒体を遊技媒体排出口から払い出すとともに、前記遊技媒体排出口から払い出された遊技媒体を貯留する貯留部を有する遊技媒体用受皿を備えた遊技機において、
前記遊技媒体用受皿の貯留部は、
前記遊技機の奥行方向と平行な第一の辺と、該第一の辺と平行かつ該第一の辺よりも長い第二の辺と、該第一および第二の辺の一方端を結ぶ第三の辺と、該第一および第二の辺の他方端を結ぶ第四の辺とからなる台形を成す開口面と、
前記開口面と対向し、前記第一の辺から前記第二の辺への方向に向かって低くなるように傾斜した底面と、
前記開口面の各辺から前記底面に亘って形成された側面と
からなり、
前記側面は、
前記開口面の第一の辺から底面に亘って形成された第一の側面と、
前記開口面の第二の辺から底面に亘って形成された第二の側面と、
前記開口面の第三の辺から底面に亘って形成された第三の側面と、
前記開口面の第四の辺から底面に亘って形成された第四の側面と
によって構成され、前記第三および第四の側面が、それぞれ前記遊技機の奥側および手前側に位置し、かつ、前記第三の側面が、前記第四の側面の方向に向かって傾斜しており、
前記遊技媒体排出口が、前記開口面の第一の辺の近傍に設けられている
ことを特徴とする遊技機。
【請求項４】
前記第四の側面は、少なくとも前記底面の近傍から前記底面にかけて曲面を有することを特徴とする請求項３に記載の遊技機。
【請求項５】
投入された通貨に相当する枚数の円板状遊技媒体を遊技媒体排出口から払い出すとともに、前記遊技媒体排出口から払い出された遊技媒体を貯留する貯留部を有する遊技媒体用受皿を備えた遊技媒体貸出装置において、
前記遊技媒体用受皿の貯留部は、
前記遊技媒体貸出装置の奥行方向と平行な第一の辺と、該第一の辺と平行かつ該第一の辺よりも長い第二の辺と、該第一および第二の辺の一方端を結ぶ第三の辺と、該第一および第二の辺の他方端を結ぶ第四の辺とからなる台形を成す開口面と、
前記開口面と対向し、前記第一の辺から前記第二の辺への方向に向かって低くなるように傾斜した底面と、
前記開口面の各辺から前記底面に亘って形成された側面と
からなり、
前記側面は、
前記開口面の第一の辺から底面に亘って形成された第一の側面と、
前記開口面の第二の辺から底面に亘って形成された第二の側面と、
前記開口面の第三の辺から底面に亘って形成された第三の側面と、
前記開口面の第四の辺から底面に亘って形成された第四の側面と
によって構成され、前記第三および第四の側面が、それぞれ前記遊技媒体貸出装置の奥側および手前側に位置し、かつ、前記第三の側面が、前記第四の側面の方向に向かって傾斜しており、
前記遊技媒体排出口が、前記開口面の第一の辺の近傍に設けられている
ことを特徴とする遊技媒体貸出装置。
【請求項６】
前記第四の側面は、少なくとも前記底面の近傍から前記底面にかけて曲面を有することを特徴とする請求項５に記載の遊技媒体貸出装置。
【発明の詳細な説明】
【技術分野】
【０００１】
本発明は、遊技機または遊技媒体貸出装置から排出された円板状の遊技媒体を貯留する遊技媒体用受皿、並びに、遊技媒体用受皿を備えた遊技機および遊技媒体貸出装置に関する。
【背景技術】
【０００２】
一般に、スロットマシンなどの遊技機で遊技を行うために使用されるメダルを貸し出すメダル貸し機は、通貨が投入されると、投入された通貨に相当する枚数（たとえば、１，０００円が投入された場合、５０枚）のメダルを払い出す。そして、この払い出されたメダルはメダル貸し機に設けられたメダル受皿に貯留される。また、このメダルをスロットマシンなどの遊技機に投入して遊技を行った結果、所定の条件が満たされると、遊技機は、満たされた条件に応じた数のメダルを、当該遊技機に設けられたメダル受皿に払い出す。ここで、所定の条件としては、たとえばスロットマシンの場合、複数のリールが回転した後、停止したときに、各リールに描かれた図柄の組合せが、予め定められた図柄組合せと一致した場合などが挙げられる。
【０００３】
通常、メダル貸し機およびスロットマシンに設けられたメダル受皿は、それぞれ複十数、数百枚のメダルが貯留可能な容量を有しており、ある程度の枚数が貯留された状態で、メダルを取り出しやすくするための工夫を凝らした様々なメダル受皿が、過去において提案されている。
【０００４】
たとえば、特許文献１には、コイン受皿内の底面に、前方へ向けて平行に形設された複数条のリブを形成することで、コインを摘んで取りやすくしたものが開示されている。また、特許文献２には、（１）遊技機からメダル受皿を着脱可能として、メダル受皿に貯留されたメダルを他の容器に移しやすくしたもの、（２）メダル受皿の正面壁に開閉板または開閉蓋付きのメダル排出口を設けたもの、（３）メダル受皿の正面壁に、手前側に向かって方形状に突出した傾斜突出移し口を形成したもの、（４）遊技機のメダル受皿部分が手前側へ回動可能なように構成し、メダル受皿自体を傾動させることで他の容器にメダルを移し替えるようにしたものが開示されている。さらに、特許文献３には、遊技媒体貸出装置の先付け受皿に、別体の後付け受皿を着脱自在に設け、当該後付け受皿に貯留されたメダルを容易に遊技機へ移し替えることを可能にしたものが開示されている。
【０００５】
【特許文献１】実開平６−１５１６２
【特許文献２】特開２０００−２９６２０５
【特許文献３】特開２００５−１３７５６５
【発明の開示】
【発明が解決しようとする課題】
【０００６】
しかしながら、特許文献１に開示されたコイン受皿の場合、受皿底面にメダルが散らばって貯留されているときに、一枚一枚コインを摘んで取り出すのでは、その手間が煩雑となり、また、散らばっているコインを一箇所に集めにくく、まとめて取り出しにくいという問題点がある。
【０００７】
また、特許文献２の上記（１）のメダル受皿は、遊技機からメダル受皿部分を着脱自在としたため、メダル受皿が紛失するおそれがあり、メダル満載時などは、その重量によりメダル受皿の着脱の手間が遊技者にとって負担になるという問題点がある。上記（２）のメダル受皿は、構造が複雑化するとともに、開閉板または開閉蓋が破損した場合、メダル受皿の機能が損なわれてしまうという問題点がある。上記（３）のメダル受皿は、メダルを取り出す際に、メダル受皿に貯留されたメダルを、傾斜突出移し口までかき集めなければならないという煩雑さがあり、また、傾斜突出移し口が遊技者側へ突出しているため、遊技者の足等が当たるなどのおそれがある。上記（４）のメダル受皿は、メダル受皿にメダルが満載されていた場合、その重みによりメダル受皿自体を傾動させるのが困難となり、メダルを他の容器に移す際に溢してしまうおそれがある。
【０００８】
また、特許文献３の後付け受皿は、遊技媒体貸出装置から着脱可能な構成となっているため、特許文献２の上記（１）のメダル受皿と同様、後付け受皿が紛失するおそれがある。また、遊技媒体貸出装置の受皿に後付け受皿を取り付けた際に、後付け受皿が遊技者側に大きく突出するため、遊技者の手や足などが当たってしまうおそれがある。
【０００９】
そこで本発明は、紛失や破損のおそれがなく、貯留されたメダルをより取り出しやすくした遊技媒体用受皿、並びに、遊技媒体用受皿を備えた遊技機および遊技媒体貸出装置を提供することを目的としている。
【課題を解決するための手段】
【００１０】
上記の目的を達成するために、本発明は、円板状遊技媒体を貯留する貯留部を有する遊技媒体用受皿であって、前記貯留部は、第一の辺と、該第一の辺と平行かつ該第一の辺よりも長い第二の辺と、該第一および第二の辺の一方端を結ぶ第三の辺と、該第一および第二の辺の他方端を結ぶ第四の辺とからなる台形を成す開口面と、前記開口面と対向し、前記第一の辺から前記第二の辺への方向に向かって低くなるように傾斜した底面と、前記開口面の各辺から前記底面に亘って形成された側面とからなり、前記側面は、前記開口面の第一の辺から底面に亘って形成された第一の側面と、前記開口面の第二の辺から底面に亘って形成された第二の側面と、前記開口面の第三の辺から底面に亘って形成された第三の側面と、前記開口面の第四の辺から底面に亘って形成された第四の側面とによって構成され、前記第三の側面が、前記第四の側面の方向に向かって傾斜していることを特徴としている。
【００１１】
上述した遊技媒体用受皿によれば、底面および第三の側面の傾斜により貯留部内の遊技媒体を、第二の側面かつ第四の側面の方向へ寄せやすくなる。このため貯留部内の遊技媒体をまとめて遊技媒体用受皿から取り出しやすくなる。
【００１２】
また、本発明は、上述した遊技媒体用受皿において、前記第四の側面が、少なくとも前記底面の近傍から前記底面にかけて曲面を有することを特徴としている。
【００１３】
このため、第二の側面かつ第四の側面の方向へ寄せられたメダルを、前記第四の側面に形成された曲面に沿って遊技媒体用受皿から取り出しやすくなる。
【００１４】
また、本発明は、円板状遊技媒体を投入することで遊技が可能となり、該遊技の結果が所定の条件を満たしたときに、前記遊技媒体を遊技媒体排出口から払い出すとともに、前記遊技媒体排出口から払い出された遊技媒体を貯留する貯留部を有する遊技媒体用受皿を備えた遊技機において、前記遊技媒体用受皿の貯留部は、前記遊技機の奥行方向と平行な第一の辺と、該第一の辺と平行かつ該第一の辺よりも長い第二の辺と、該第一および第二の辺の一方端を結ぶ第三の辺と、該第一および第二の辺の他方端を結ぶ第四の辺とからなる台形を成す開口面と、前記開口面と対向し、前記第一の辺から前記第二の辺への方向に向かって低くなるように傾斜した底面と、前記開口面の各辺から前記底面に亘って形成された側面とからなり、前記側面は、前記開口面の第一の辺から底面に亘って形成された第一の側面と、前記開口面の第二の辺から底面に亘って形成された第二の側面と、前記開口面の第三の辺から底面に亘って形成された第三の側面と、前記開口面の第四の辺から底面に亘って形成された第四の側面とによって構成され、前記第三および第四の側面が、それぞれ前記遊技機の奥側および手前側に位置し、かつ、前記第三の側面が、前記第四の側面の方向に向かって傾斜しており、前記遊技媒体排出口が、前記開口面の第一の辺の近傍に設けられていることを特徴としている。
【００１５】
上述した遊技機によれば、遊技媒体用受皿の底面および第三の側面の傾斜により、遊技媒体用受皿の貯留部へ払い出された遊技媒体を、第二の側面の方向かつ遊技機手前側へ寄せやすくなる。このため貯留部内の遊技媒体をまとめて遊技媒体用受皿から取り出しやすくなる。
【００１６】
また、本発明は、上述した遊技機において、前記第四の側面が、少なくとも前記底面の近傍から前記底面にかけて曲面を有することを特徴としている。
【００１７】
このため、遊技媒体用受皿内において、第二の側面の方向かつ遊技機手前側へ寄せられたメダルを、前記第四の側面に形成された曲面に沿って遊技媒体用受皿から取り出しやすくなる。
【００１８】
また、本発明は、投入された通貨に相当する枚数の円板状遊技媒体を遊技媒体排出口から払い出すとともに、前記遊技媒体排出口から払い出された遊技媒体を貯留する貯留部を有する遊技媒体用受皿を備えた遊技媒体貸出装置において、前記遊技媒体用受皿の貯留部は、前記遊技媒体貸出装置の奥行方向と平行な第一の辺と、該第一の辺と平行かつ該第一の辺よりも長い第二の辺と、該第一および第二の辺の一方端を結ぶ第三の辺と、該第一および第二の辺の他方端を結ぶ第四の辺とからなる台形を成す開口面と、前記開口面と対向し、前記第一の辺から前記第二の辺への方向に向かって低くなるように傾斜した底面と、前記開口面の各辺から前記底面に亘って形成された側面とからなり、前記側面は、前記開口面の第一の辺から底面に亘って形成された第一の側面と、前記開口面の第二の辺から底面に亘って形成された第二の側面と、前記開口面の第三の辺から底面に亘って形成された第三の側面と、前記開口面の第四の辺から底面に亘って形成された第四の側面とによって構成され、前記第三および第四の側面が、それぞれ前記遊技媒体貸出装置の奥側および手前側に位置し、かつ、前記第三の側面が、前記第四の側面の方向に向かって傾斜しており、前記遊技媒体排出口が、前記開口面の第一の辺の近傍に設けられていることを特徴としている。
【００１９】
上述した遊技媒体貸出装置によれば、遊技媒体用受皿の底面および第三の側面の傾斜により、遊技媒体用受皿の貯留部へ払い出された遊技媒体を、第二の側面の方向かつ遊技媒体貸出装置の手前側へ寄せやすくなる。このため貯留部内の遊技媒体をまとめて遊技媒体用受皿から取り出しやすくなる。
【００２０】
また、本発明は、上述した遊技媒体貸出装置において、前記第四の側面が、少なくとも前記底面の近傍から前記底面にかけて曲面を有することを特徴としている。
【００２１】
このため、遊技媒体用受皿内において、第二の側面の方向かつ遊技媒体貸出装置の手前側へ寄せられたメダルを、前記第四の側面に形成された曲面に沿って遊技媒体用受皿から取り出しやすくなる。
【発明の効果】
【００２２】
本発明によれば、紛失や破損のおそれがなく、貯留されたメダルをより取り出しやすくすることができる。
【発明を実施するための最良の形態】
【００２３】
以下、本発明の好適な実施の形態について図面を参照しつつ説明する。以下では、本実施の形態のメダル受皿（遊技媒体用受皿）を、円板状のメダルを遊技媒体として用いるスロットマシン（遊技機）に適用した場合について説明する。
【００２４】
図１は、本実施の形態に係るメダル受皿が設けられた遊技機１の正面図である。遊技機１の筐体は、箱体と、箱体に開閉自在に取り付けられた前面扉とからなり、当該前面扉の正面ほぼ中央にはリール部パネル２が設けられている。このリール部パネル２のほぼ中央には、箱体内部に設けられた３個のリール３Ｌ，３Ｃ，３Ｒのそれぞれに対応してリール表示窓４Ｌ，４Ｃ，４Ｒが形成されている。リール表示窓４Ｌ，４Ｃ，４Ｒは、遊技開始前および停止後のリール停止状態において、各々対応するリールの外周面に描かれている図柄を視認可能とする透明な領域であり、それぞれ上段・中段・下段に各１つずつ、リールの回転方向に沿って計３個の図柄が視認可能な大きさに形成されている。
【００２５】
遊技機１には、３つのリールの回転が停止した際に、リール表示窓４Ｌ，４Ｃ，４Ｒ内に表示された図柄に基づいて入賞などの成否を判定する基準となる入賞ラインが定められている。入賞ラインとしては、右上がりラインＬ１、上段ラインＬ２、中段ラインＬ３、下段ラインＬ４および右下がりラインＬ５が設けられている。
【００２６】
有効化される入賞ライン、すなわち有効ラインは、投入されるメダルの枚数に応じて変化する。メダルの投入は、後述するメダル投入口１２にメダルを投入することにより行なわれ、１回の遊技に投入可能なメダルは、最大で３枚となっている。また、投入されたメダルの枚数に応じて、例えば１枚の場合１本（中段ラインＬ３）、２枚の場合３本（加えて上段ラインＬ２および下段ラインＬ４）、３枚の場合５本（さらに加えて右上がりラインＬ１および右下がりラインＬ５）の入賞ラインが有効化される。
【００２７】
リール表示窓４Ｌ，４Ｃ，４Ｒの左側には、ＢＥＴランプ６ａ，６ｂ，６ｂ’，６ｃ，６ｃ’が設けられている。これらＢＥＴランプは、点灯数によって１回の遊技に投入されたメダル枚数を示しており、メダルが１枚投入されたときはＢＥＴランプ６ａのみが点灯し、２枚投入されたときはＢＥＴランプ６ａ，６ｂ，６ｂ’が点灯し、３枚投入されたときはすべてのＢＥＴランプ６ａ，６ｂ，６ｂ’，６ｃ，６ｃ’が点灯する。
【００２８】
リール表示窓４Ｌ，４Ｃ，４Ｒの右側には、当たり表示ランプ７ａ、再遊技表示ランプ７ｂ、遊技待機表示ランプ７ｃ、スタートランプ７ｄ、および、インサートランプ７ｅの、５つのランプが設けられており、これらランプの点灯状態によって現在の遊技状態を遊技者に報知する。当たり表示ランプ７ａは、内部抽選でボーナス役に当選したときに点灯する。ボーナス役とは、ボーナス役に対応する図柄組合せが有効ライン上に揃った（すなわち、ボーナス役に入賞した）遊技の次の遊技から、通常時の遊技（通常遊技）よりも入賞する可能性が高くなる遊技（すなわちボーナスゲーム）を行うことができる役である。このボーナスゲームは、ボーナスゲーム中に行った遊技回数、または、その間の入賞回数に応じて予め定められている終了条件を満たすまで継続する。また、ボーナスゲームには、遊技の内容や終了条件が異なるレギュラーボーナスゲーム（以下、ＲＢゲームという）とビッグボーナスゲーム（以下、ＢＢゲームという）とがあり、通常、１回のＲＢゲームによって獲得できるメダル枚数よりも、１回のＢＢゲームによって獲得できるメダル枚数の方が多い。
【００２９】
再遊技表示ランプ７ｂは、次に開始される遊技が再遊技のときに点灯する。遊技待機表示ランプ７ｃは、前回の遊技開始（スタートレバーの操作）から４．１秒を経過していないときに後述するスタートレバー１６を操作すると、遊技が不可能である状態であることを示すために点灯する。そして、前回の遊技開始から４．１秒が経過した時点で、遊技待機表示ランプ７ｃが消灯し、リール３Ｌ，３Ｃ，３Ｒの回転が開始される。スタートランプ７ｄは、メダルの投入がなされて遊技の開始が可能な状態となったときに点灯する。インサートランプ７ｅは、前回の遊技が終了し、次の遊技のためのメダルの投入が可能な状態になると点滅する。
【００３０】
リール表示窓４Ｌ，４Ｃ，４Ｒの下側には、図中左から、貯留枚数表示部８と、ボーナスカウント表示部９と、配当枚数表示部１０とが配設されている。貯留枚数表示部８は、２桁の７セグメント表示器からなり、遊技機１内に貯留されたメダルの枚数を示す。ボーナスカウント表示部９は３桁の７セグメント表示器からなり、ＢＢゲームおよびＲＢゲーム中に行った遊技回数および入賞回数を表示する。配当枚数表示部１０は、２桁の７セグメント表示器からなり、遊技の結果入賞した場合、払い出されるメダルの枚数を表示する。
【００３１】
リール部パネル２の下側には、台座部１１が形成されている。この台座部１１の、図中上面右側には、前述したメダル投入口１２が設けられており、メダル投入口１２に投入されたメダルの枚数に応じて、前述したとおり有効ラインが決定される。また、メダルが３枚投入された後、続けてメダルが投入されると、４枚目以降に投入されたメダルが最大５０枚まで遊技機１内に貯留される。
【００３２】
台座部１１の上面左側には、遊技機１に貯留されたメダルからメダルを投入するための各種ＢＥＴスイッチ１３，１４が設けられている。遊技機１に３枚以上のメダルが貯留されている状態で、ＭＡＸ−ＢＥＴスイッチ１３が１回操作されると、通常遊技またはＢＢゲーム時には貯留されているメダルから３枚のメダルが遊技機１へ投入され、ＲＢゲーム時には１枚のメダルが投入される。また、１−ＢＥＴスイッチ１４が操作されると、１回操作されるごとに貯留されているメダルから１枚ずつ投入され、通常遊技またはＢＢゲーム時には最大３枚のメダルが遊技機１に投入される。このように、各種ＢＥＴスイッチ１３，１４を操作することで、メダル投入口１２にメダルが投入された場合と同様に遊技機１へメダルが投入されるとともに、投入されたメダルの枚数に応じて前述の有効ラインが定まる。
【００３３】
台座部１１の垂直面略中央には、各リール表示窓４Ｌ，４Ｃ，４Ｒの下方に各々対応する形で、ストップスイッチ１５Ｌ，１５Ｃ，１５Ｒが配置されている。これらのストップスイッチ１５Ｌ，１５Ｃ，１５Ｒは、リール３Ｌ，３Ｃ，３Ｒに各々対応しており、たとえば、ストップスイッチ１５Ｌが押されると、左リール３Ｌが停止する。同様に、ストップスイッチ１５Ｃが押されると中リール３Ｃ、ストップスイッチ１５Ｒが押されると右リール３Ｒが停止する。
【００３４】
ストップスイッチ１５Ｌ，１５Ｃ，１５Ｒの左側には、遊技者による傾動操作により、リール３Ｌ，３Ｃ，３Ｒを一斉に回転させ、リール表示窓４Ｌ，４Ｃ，４Ｒに表示された図柄の移動を開始させるためのスタートレバー１６が設けられている。さらに、スタートレバー１６の左側には遊技機１に貯留されたメダルを排出するためのメダル排出スイッチ１７が設けられている。
【００３５】
台座部１１の下側には、遊技機１に付与された機種名や、遊技機１のコンセプトに沿ったキャラクタなどの絵柄が描かれた腰部パネル１８が配置されている。腰部パネル１８の下側には後述するメダル排出口が設けられており、遊技機１で遊技が行われた結果、入賞すると上述したメダル排出口からメダルが排出され、メダル受皿１９に貯留される。ここで、入賞とは、前述した有効ラインに沿って予め定められた図柄組合せが停止表示された状態をいう。また、遊技機１にメダルが貯留されているときにメダル排出スイッチ１７が押されたときにも、貯留されていたメダルがメダル受皿に払い出される。
【００３６】
メダル受皿１９の左側には、灰皿２０が設けられている。遊技機１の最上部には、遊技の状況に応じた発光パターンで発光し、演出や報知が行なわれる上部ランプ２１が設けられている。また、上部ランプ２１の下側には、遊技の状況に応じた操作音や演出音、報知音などを出力する右スピーカ２２Ｒおよび左スピーカ２２Ｌが配設されている。
【００３７】
次に図２を参照して、メダル受皿１９の内部形状、すなわち、メダルが貯留される貯留部の形状について説明する。図２において、（ａ）は、図１に示す遊技機１の正面図において、腰パネル１８の縦方向略中央から下側の部分を示す正面図である。（ｂ）は、メダル受皿１９および灰皿２０を上方から見たときの平面図である。（ｃ）は、遊技機１を図２（ａ）に示す矢印アの方向から見たときの前面扉の側面図である。（ｄ）は、図２（ｃ）の側面図において、図２（ａ）および（ｂ）に示すＡ−Ａ断面を示す断面図であり、（ｅ）はＡ’−Ａ’断面を示す断面図である。ここで、図２（ａ）の正面図において、メダル受皿１９および灰皿２０については図２（ｂ）におけるＢ−Ｂ断面を示している。また、図２（ｂ）における点線Ｌは、図２（ｃ）における矢印イの位置（遊技機１の前面扉表面の位置）を示している。
【００３８】
図２（ｂ）に示すように、貯留部の開口形状は、遊技機１の奥行方向と平行な辺ｓ１（第一の辺）およびｓ２（第二の辺）と、辺ｓ１，ｓ２の遊技機奥側端を結ぶ辺ｓ３（第三の辺）と、辺ｓ１，ｓ２の遊技機手前側端を結ぶ辺ｓ４（第四の辺）とからなる略台形となっている。また、図２（ａ），（ｂ）に示すように、メダル受皿１９の底面１９ｅは、同図中、左から右に向かって（すなわち、第一の辺から第二の辺に向かって）右下がりに傾斜している。
【００３９】
これにより、メダル受皿１９の内部において、メダル排出口２５から払い出されたメダルを、図中右側に寄せやすくなっている。また、図２（ｂ）に示すように、メダル受皿１９の開口は、メダル排出口２５が設けられている側の辺ｓ１よりも、対向する辺ｓ２の方が長くなっており、同図中、右側へ向かう程、奥行方向の幅が広くなる形状となっている。したがって、底面１９ｅの傾斜と相俟って、同図中、右側へ向かう程、より多くのメダルを貯留できるように形成されている。さらに、メダル排出口２５は、図２（ｂ）に示すように最もメダルを寄せやすい辺ｓ２側と対向する側の辺ｓ1の近傍に設けられている。このため、短期間に多くのメダルが払い出された場合でも、メダル排出口２５の近辺にメダルが堆積しにくくなり、メダルの払い出しに支障を及ぼす可能性が低くなる。
【００４０】
図２（ｂ）において、奥側の側壁面１９ｃ（第三の側面）は、開口の辺ｓ３から手前側（遊技者側）の側壁面１９ｄ（第四の側面）の方向に向かって底面１９ｅまで形成されている。すなわち、側壁面１９ｃは、遊技機の手前側に向かって傾斜しているため、メダル排出口２５から排出されたメダルを底面１９ｅに集めやすくなっている。また、側壁面１９ｃの傾斜角度は、図２（ｄ），（ｅ）に示すように、図２（ｂ）中右側へ行くほど急な角度になっているため、同図中、右側へ向かう程、より多くのメダルを貯留できるように形成されているといえる。
【００４１】
また、側壁面１９ｄは、図２（ｄ），（ｅ）に示すように、辺ｓ４から下方へ向かって垂直に形成され、かつ、底面１９ｅの近傍から底面１９ｅへ至る部分（同図中点線で囲む部分）には、一定の曲率のカーブ（曲面）が形成されている。これにより、底面１９ｅに貯留されたメダルを上記カーブに沿って手前側に掻き出しやすくなっている。
【００４２】
同様に、メダル受皿１９内の右側の側壁面１９ｂ（第二の側面）も、図２（ａ）に示すように、底面１９ｅの近傍から底面１９ｅに至る部分（同図中点線で囲む部分）にカーブが形成されている。また、図２（ｂ）に示すとおり、側壁面１９ｄと側壁面１９ｂとが接する部分（同図中点線で囲む部分）においても、一定曲率のカーブが形成されている。なお、図２（ｂ），（ｄ），（ｅ）において、側壁面１９ｄと底面１９ｅとの間に図示する線は、説明の便宜上、側壁面１９ｄと底面１９ｅとの境界を仮想的に示したものである。実際のメダル受皿においては、側壁面１９ｄと底面１９ｅとが滑らかな曲面で連続的に形成されることになるため、このような線が現れることはない。また、図２（ｂ）において、側壁面１９ｂと底面１９ｅとの間に図示する線についても同様である。
【００４３】
上述したメダル受皿１９の内部形状により、メダル排出口２５から側壁面１９ｃへ向かって払い出されたメダルを底面１９ｅに寄せやすく、かつ、メダル排出口２５から離れた方向、すなわち、側壁面１９ｂの方向へ寄せやすくなっている。また、側壁面１９ｄ，１９ｂに形成されたカーブにより、メダル受皿１９内において図２（ａ），（ｂ）中、右側へ寄せられたメダルを取り出しやすくなっている。
【００４４】
次に、図３を参照して、上述したメダル受皿１９と同様の内部形状を有するメダル受皿をメダル貸出機に適用した形態について説明する。図３において、メダル貸出機３０の筐体は、箱体３１ａと、箱体３１ａに開閉自在に取り付けられた前面扉３１ｂとからなっている。
【００４５】
前面扉３１ｂの正面、左上側には、メダル貸出機３０がメダル貸し出し可能な状態にあるときに点灯する貸出可能ランプ３２と、メダル貸出機３０内に貸し出すメダルが不足しているときに点灯する貸出中止ランプ３３とが設けられている。貸出中止ランプ３３の右側には、メダル貸出機３０に投入された金額および投入された金額に応じて払いだされるメダル枚数を表示する表示器３４が設けられている。貸出可能ランプ３２および貸出中止ランプ３３の下側には、硬貨を投入するための硬貨投入口３５が設けられ、表示器３４の下側には、紙幣を投入するための紙幣投入口３６が設けられている。
【００４６】
硬貨投入口３５の下側には、硬貨投入口３５に投入された硬貨を返却するための返却ボタン３７が設けられている。ここで、返却ボタン３７が操作されたことにより返却される硬貨は、メダル取出口３８の内部に穿設されたメダル排出口３９から排出される。このメダル排出口３９からは、返却する硬貨の他にも、メダル貸出機３０に投入された金額に応じた枚数のメダルが排出される。メダル排出口３９から排出された硬貨またはメダルは、図２に示したメダル受皿と同様の内部（貯留部）形状を有するメダル受皿４０へ排出され、貯留される。
【００４７】
図３に示すように、メダル排出口３９は、メダル取出口３８の内部において、正面に向かって左側の側面に穿設されており、このメダル排出口３９とメダル受皿４０との位置関係は、図２に示したメダル排出口２５とメダル受皿１９との位置関係と同じである。すなわち、メダル受皿４０の底面は、メダル貸出機３０の正面に向かって右側へ行くほど低くなるように傾斜している。また、すでに述べたように、メダル受皿４０の内部形状は、図２に示したメダル受皿１９の内部形状と同様であるため、メダル排出口３９から排出されたメダルは、メダル受皿４０の底面に寄せやすく、かつ、メダル貸出機３０の正面に向かって右側へ寄せやすくなっている。さらに、メダル受皿４０の手前側内壁面に形成されたカーブにより、メダル貸出機３０の正面に向かって右側に集められたメダルが取りやすくなっている。
【００４８】
なお、図２（ｂ）に示すように、底面１９ｅの形状は略三角形になっているが、これに限らず、たとえば略台形にしてもよい。また、側壁面１９ｄのカーブは、底面１９ｅの近傍から底面１９ｅにかけて形成しているが、辺ｓ４から底面１９ｅにかけて形成してもよい。同様に、側壁面１９ｂについても、辺ｓ２から底面１９ｅにかけてカーブを形成するようにしてもよい。
【００４９】
以上説明した本実施の形態におけるメダル受皿は、円板状の物体であればメダル、コイン、および、トークンの種別を問わず貯留可能であり、また、両替機、自動販売機、および、自動券売機など、それらを取り扱う装置に適用可能であることはいうまでもない。
【図面の簡単な説明】
【００５０】
【図１】本発明の実施の形態におけるメダル受皿を備えた遊技機の外観を示す正面図である。
【図２】本発明の実施の形態におけるメダル受皿の内部形状を示す図である。
【図３】本発明の実施の形態におけるメダル受皿を備えたメダル貸出機の外観を示す斜視図である。
【符号の説明】
【００５１】
１  遊技機
１９，４０  メダル受皿（遊技媒体用受皿）
２５，３９  メダル排出口（遊技媒体排出口）
３０  メダル貸出機（遊技媒体貸出装置）
【図１】
2007068722.tif 000003
【図２】
2007068722.tif 000004
【図３】
2007068722.tif 000005